【手続補正書】
【提出日】平成17年3月23日(2005.3.23)
【手続補正１】
【補正対象書類名】明細書
【補正対象項目名】特許請求の範囲
【補正方法】変更
【補正の内容】
【特許請求の範囲】
【請求項１】
操作者携帯可能な端末であり、当該端末を携帯する操作者の動作に応じた運動情報を生成し、送信する操作端末と、
前記操作端末から前記運動情報を受信し、受信した運動情報に基づいて、再生対象たる楽曲に対応した楽曲データの編集を行う楽曲データ編集装置と、
前記楽曲データ編集装置から供給される編集後の楽曲データを再生し、楽音を発生する楽音発生装置とを具備する楽曲再生システムであって、
前記楽曲データ編集装置は、
前記受信した運動情報から前記操作者の運動の大きさを示すピーク情報を検出する検出手段と、
前記ピーク情報に示されるピーク値が、設定されている第１の閾値及び第２の閾値を越えている場合、前記ピーク情報から前記楽曲再生を制御するための楽曲再生制御情報を生成する一方、前記ピーク情報に示されるピーク値が、設定されている前記第１の閾値を越え、かつ、前記第２の閾値を下まわっている場合、前記ピーク情報から前記楽曲に付与する音響効果を制御するための音響効果制御情報を生成する制御情報生成手段と、
前記制御情報生成手段によって生成される各制御情報に基づいて、前記楽曲データの編集を行う楽曲データ編集手段と、
前記楽曲データ編集手段によって編集された後の楽曲データを前記楽音発生装置へ出力する出力手段と
を具備することを特徴とする楽曲再生システム。
【請求項２】
操作者携帯可能な端末であり、当該端末を携帯する操作者の動作に応じた運動情報を生成し、送信する操作端末と、
前記操作端末から前記運動情報を受信し、受信した運動情報に基づいて、再生対象たる楽曲に対応した楽曲データの編集を行う楽曲データ編集装置とを具備する楽曲編集システムであって、
前記楽曲データ編集装置は、
前記受信した運動情報から前記操作者の運動の大きさを示すピーク情報を検出する検出手段と、
前記ピーク情報に示されるピーク値が、設定されている第１の閾値及び第２の閾値を越えている場合、前記ピーク情報から前記楽曲再生を制御するための楽曲再生制御情報を生成する一方、前記ピーク情報に示されるピーク値が、設定されている前記第１の閾値を越え、かつ、前記第２の閾値を下まわっている場合、前記ピーク情報から前記楽曲に付与する音響効果を制御するための音響効果制御情報を生成する制御情報生成手段と、
前記制御情報生成手段によって生成される各制御情報に基づいて、前記楽曲データの編集を行う楽曲データ編集手段と
を具備することを特徴とする楽曲編集システム。
【請求項３】
操作者携帯可能な操作端末から、当該端末を携帯する操作者の動作に応じて生成された運動情報を受信する受信手段と、
前記受信手段によって受信された運動情報から前記操作者の運動の大きさを示すピーク情報を検出する検出手段と、
前記ピーク情報に示されるピーク値が、設定されている第１の閾値及び第２の閾値を越えている場合、前記ピーク情報から前記楽曲再生を制御するための楽曲再生制御情報を生成する楽曲再生制御情報生成手段と、
前記ピーク情報に示されるピーク値が、設定されている前記第１の閾値を越え、かつ、前記第２の閾値を下まわっている場合、前記ピーク情報から前記楽曲に付与する音響効果を制御するための音響効果制御情報を生成する音響効果制御情報生成手段と、
前記各制御情報生成手段によって生成される各制御情報に基づいて、前記楽曲データの編集を行う楽曲データ編集手段と
を具備することを特徴とする楽曲編集装置。
【請求項４】
前記ピーク情報に示されるピーク値が、設定されている前記第１の閾値を越え、かつ、前記第２の閾値を下まわっている場合、前記運動情報から前記操作者の動作に応じた前記操作端末の軌跡形状を特定する軌跡形状特定手段と、
操作端末の軌跡形状を示す軌跡形状情報と、楽曲に付与する音響効果項目を示す音響効果項目情報とを対応付けて記憶する第１の記憶手段とをさらに具備し、
前記音響効果制御情報生成手段は、前記軌跡形状特定手段によって特定された軌跡形状を検索キーとして前記第１の記憶手段を検索することにより、対応する音響効果項目情報を取得し、取得した音響効果項目情報に示される音響効果を制御するための音響効果制御情報を、前記ピーク情報から生成することを特徴とする請求項３に記載の楽曲編集装置。
【請求項５】
前記軌跡形状特定手段は、前記運動情報から前記操作者の動作に応じた前記操作端末の軌跡形状を特定すると共に、該軌跡の方向を特定し、
前記第１の記憶手段は、操作端末の軌跡形状を示す軌跡形状情報と、該軌跡の方向を示す軌跡方向情報と、楽曲に付与する音響効果項目を示す音響効果項目情報とを対応付けて記憶し、
前記音響効果制御情報生成手段は、前記軌跡形状特定手段によって特定された軌跡形状及び該軌跡の方向を検索キーとして前記第１の記憶手段を検索することにより、対応する音響効果項目情報を取得し、取得した音響効果項目情報に示される音響効果を制御するための音響効果制御情報を、前記ピーク情報から生成することを特徴とする請求項４に記載の楽曲編集装置。
【請求項６】
前記ピーク情報に示されるピーク値と、前記楽曲に付与する音響効果の大きさを示す音響効果レベル値とを対応付けて記憶する第２の記憶手段をさらに具備し、
前記音響効果制御情報生成手段は、前記検出手段によって検出されたピーク情報を検索キーとして前記第２の記憶手段を検索することにより、対応する音響効果レベル値を取得する一方、前記軌跡形状特定手段によって特定された軌跡形状、または軌跡形状及び該軌跡の方向を検索キーとして前記第１の記憶手段を検索することにより、対応する音響効果項目情報を取得し、取得した音響効果レベル値及び音響効果項目情報から前記音響効果制御情報を生成することを特徴とする請求項４または５に記載の楽曲編集装置。
【請求項７】
操作者携帯可能な端末であり、当該端末を携帯する操作者の動作に応じた運動情報を生成する運動情報生成手段と、前記運動情報生成手段によって生成された運動情報に基づいて、再生対象たる楽曲に対応した楽曲データの編集を行う楽曲データ編集手段とを具備する楽曲編集端末であって、
前記運動情報から前記操作者の運動の大きさを示すピーク情報を検出する検出手段と、
前記ピーク情報に示されるピーク値が、設定されている第１の閾値及び第２の閾値を越えている場合、前記ピーク情報から前記楽曲再生を制御するための楽曲再生制御情報を生成する一方、前記ピーク情報に示されるピーク値が、設定されている前記第１の閾値を越え、かつ、前記第２の閾値を下まわっている場合、前記ピーク情報から前記楽曲に付与する音響効果を制御するための音響効果制御情報を生成する制御情報生成手段とを具備し、
前記楽曲データ編集手段は、前記制御情報生成手段によって生成される各制御情報に基づいて、前記楽曲データの編集を行うことを特徴とする楽曲編集端末。
【請求項８】
操作者携帯可能な端末であり、当該端末を携帯する操作者の動作に応じた運動情報を生成する運動情報生成手段と、前記運動情報生成手段によって生成された運動情報に基づいて、再生対象たる楽曲に対応した楽曲データの編集を行う楽曲データ編集手段と、前記楽曲データ編集手段によって編集された後の楽曲データを再生し、楽音を発生する楽音発生手段とを具備する楽曲再生端末であって、
前記運動情報から前記操作者の運動の大きさを示すピーク情報を検出する検出手段と、
前記ピーク情報に示されるピーク値が、設定されている第１の閾値及び第２の閾値を越えている場合、前記ピーク情報から前記楽曲再生を制御するための楽曲再生制御情報を生成する一方、前記ピーク情報に示されるピーク値が、設定されている前記第１の閾値を越え、かつ、前記第２の閾値を下まわっている場合、前記ピーク情報から前記楽曲に付与する音響効果を制御するための音響効果制御情報を生成する制御情報生成手段とを具備し、
前記楽曲データ編集手段は、前記制御情報生成手段によって生成される各制御情報に基づいて、前記楽曲データの編集を行い、編集した後の楽曲データを前記楽音発生手段へ出力することを特徴とする楽曲再生端末。
【請求項９】
再生対象たる楽曲に対応した楽曲データの編集を行う楽曲編集装置の制御方法であって、
操作者携帯可能な操作端末から、当該端末を携帯する操作者の動作に応じて生成された運動情報を受信する受信過程と、
前記受信した運動情報から前記操作者の運動の大きさを示すピーク情報を検出する検出過程と、
前記ピーク情報に示されるピーク値が、設定されている第１の閾値及び第２の閾値を越えている場合、前記運動情報から前記楽曲再生を制御するための楽曲再生制御情報を生成する楽曲再生制御情報生成過程と、
前記ピーク情報に示されるピーク値が、設定されている前記第１の閾値を越え、かつ、前記第２の閾値を下まわっている場合、前記運動情報から前記楽曲に付与する音響効果を制御するための音響効果制御情報を生成する音響効果制御情報生成過程と、
前記各制御情報に基づいて、前記楽曲データの編集を行う楽曲データ編集過程と
を具備することを特徴とする楽曲編集装置の制御方法。
【手続補正２】
【補正対象書類名】明細書
【補正対象項目名】００６０
【補正方法】変更
【補正の内容】
【００６０】
音響効果付与制御部Ｍ０３は、ローカルピーク・ダイナミクス検出部Ｍ０１からダイナミクス値ｄを受け取ると共に、軌跡形状・方向検出部Ｍ０４から移動軌跡情報を受け取ると、図９に示す音響効果項目決定テーブルＴＡ及び図１０に示す音響効果レベル決定テーブルＴＢを参照し、付与すべき音響効果項目及び音響効果レベルを決定する。そして、音響効果付与制御部Ｍ０３は、このようにして決定した音響効果項目（図１３では、音延長）及び音響効果レベル（図１３では、レベル１）を音響効果制御情報として、楽曲データ編集部Ｍ０５に出力する。